(57)【要約】【課題】簡易な方法で、管状体の表面に装飾性の優れたグラデーション塗装を行う。【解決手段】管状体１を軸線方向が鉛直方向となるように配置し、該管状体を軸線廻りに回転させながら、塗料噴霧装置２の塗料吹出部２ａを上下に移動させつつ、管状体に対して横方向より塗料を霧状に噴霧し、該管状体の表面を塗装する塗装方法であって、前記塗料吹出部の上下移動範囲と、前記管状体との間の一部の領域に、該管状体と塗料吹出部とを隔てる隔壁８を設け、該隔壁により、管状体の上下方向における各領域での塗装塗料の有無及び／又は塗装塗料の量を変化させ、該隔壁の上端部及び／又は下端部の水平方向に対応する管状体の位置の周辺において塗着塗料の量が変化するグラデーション変化部を形成する。【選択図】図１
2007222550.tif 000002
【特許請求の範囲】
【請求項１】
管状体を軸線方向が鉛直方向となるように配置し、該管状体を軸線廻りに回転させながら、塗料噴霧装置の塗料吹出部を上下に移動させつつ、管状体に対して横方向より塗料を霧状に噴霧し、該管状体の表面を塗装する塗装方法であって、
前記塗料吹出部の上下移動範囲と、前記管状体との間の一部の領域に、該管状体と塗料吹出部とを隔てる隔壁を設け、
該隔壁により、管状体の上下方向における各領域での塗装塗料の有無及び／又は塗装塗料の量を変化させ、
該隔壁の上端部及び／又は下端部の水平方向に対応する管状体の位置の周辺において塗着塗料の量が変化するグラデーション変化部を形成することを特徴とする管状体の塗装方法。
【請求項２】
前記管状体の表面と前記塗料吹出部との水平距離Ｌ１を１５〜１００ｃｍ、
前記管状体の表面と前記隔壁との水平距離Ｌ２を５〜３０ｃｍ、
前記隔壁と前記塗料吹出部との水平距離Ｌ３を１０〜７０ｃｍ、
としている請求項１に記載の管状体の塗装方法。
【請求項３】
前記塗料噴霧装置が静電塗装機である請求項１又は請求項２に記載の管状体の塗装方法。
【請求項４】
塗装装置の構成材に、複数の前記管状体を直接的または間接的に所要間隔をあけて配列した状態で吊り下げ、これら管状体を前記塗料噴霧装置の塗料吹出部の前方を連続移動させて、複数の管状体を連続的に塗装している請求項１乃至請求項３のいずれかに記載の管状体の塗装方法。
【請求項５】
請求項１乃至請求項４のいずれかに記載の管状体の塗装方法を用い、管状体としてのゴルフクラブシャフトの表面を塗装する塗装工程を含むことを特徴とするゴルフクラブの製造方法。
【発明の詳細な説明】
【技術分野】
【０００１】
本発明は、ゴルフクラブシャフト或いは釣竿等の管状体の表面を塗装する方法に関し、詳しくは、管状体の表面をグラデーション塗装する方法及び、この塗装方法によりゴルフクラブシャフトを塗装する工程を含むゴルフクラブの製造方法に関するものである。
【背景技術】
【０００２】
ゴルフクラブシャフト或いは釣竿等の管状体は、美観の向上と発錆防止の為にその表面に塗装がなされ、装飾性を高める為に、２色以上の塗料を用い、その長手方向に沿って色相或いは濃度を変化させる所謂グラデーション塗装も採用されている。
特開２００２−３３６３９３号公報（特許文献１）には、ゴルフクラブシャフトに対するグラデーション塗装の一例が開示されており、このグラデーション塗装の概略は、塗料噴霧装置の塗料吹出部を上下移動させる際に、その移動範囲を変え、移動速度を変え、あるいは塗料吹出部からの吐出量を変えることによりシャフトへの塗料の付着量を変化させて行っている。
【０００３】
前記特許文献１に記載の塗料吹出部の移動範囲を変化させてグラデーション塗装を行う場合、下記の問題がある。
イ）塗料吹出部の上下移動を途中で止めても、例えば、最下部と管状体の中間部間のみで上下移動させても、塗料は霧状に噴霧されるので、管状体の上部にも塗装されてしまい、グラデーションの変化が広範囲に亘り、しかも緩い色変化となり、要求される装飾性を有するグラデーションが得られない。
ロ）グラデーションの有無や、グラデーションの変化部位置の相違に応じて、塗料吹出部の上下移動範囲をその都度設定すると、生産性が悪く、特に小ロット生産においては、大きなコスト上昇を招くことにもなる。
【０００４】
また、特許文献１では、図７に示すディスクタイプの静電塗装機１００を用いてグラデーション塗装を行っている。該塗装機１００では、塗料の噴霧パターンが略水平方向に向くため、前記イ）の問題点は改善されるが、ディスクタイプ塗装機の設置費用が高いと言う難点がある。また、塗装機１００では塗料吹出部から水平方向３６０°の範囲で塗料が噴霧される為、シャフト１０１を吊り下げて搬送するガイドレール１０２は、その噴霧空間の廻りを取囲むようよう平面視でΩ形の開環円形状に形成されている。その場合、ガイドレール１０２の開環部分１０２ａ、即ち、管状体が通過しない部分が存在することになり、この部分では塗料の無駄が生じる。
更に、この開環部分１０２ａと導入部１０２ｂ及び導出部１０２ｃとの境界位置ではガイドレール１０２が鋭角に屈曲する。よって、導入部１０２ｂと導出部１０２ｃをシャフト１０１が通過する際、揺れが発生しやすく、その為、シャフト１０１を密に配列することができない。その結果、塗装効率（塗装本数／時間）が低下し、生産性やコストの改善を図り難いと言う問題点もある。
【０００５】
【特許文献１】特開２００２−３３６３９３号公報
【発明の開示】
【発明が解決しようとする課題】
【０００６】
本発明は、前記問題に鑑みてなされたものであり、ゴルフクラブシャフト等の管状体に対して、装飾性の優れたグラデーション塗装を簡易にできるようにすることを課題としている。
【課題を解決するための手段】
【０００７】
前記課題を解決するため、第１の発明として、管状体を軸線方向が鉛直方向となるように配置し、該管状体を軸線廻りに回転させながら、塗料噴霧装置の塗料吹出部を上下に移動させつつ、管状体に対して横方向より塗料を霧状に噴霧し、該管状体の表面を塗装する塗装方法であって、
前記塗料吹出部の上下移動範囲と、前記管状体との間の一部の領域に、該管状体と塗料吹出部とを隔てる隔壁を設け、
該隔壁により、管状体の上下方向における各領域での塗装塗料の有無及び／又は塗装塗料の量を変化させ、
該隔壁の上端部及び／又は下端部の水平方向に対応する管状体の位置の周辺において塗着塗料の量が変化するグラデーション変化部を形成することを特徴とする管状体の塗装方法を提供している。
【０００８】
本発明の塗装は、管状体にグラデーション変化部を形成するための塗装であるため、塗料噴霧装置はグラデーション用の塗料噴霧装置として用い、該グラデーション用塗料噴霧装置による噴霧前に、管状体に地色塗装を施した後に、グラデーション塗装を行っている。
よって、本発明の塗料噴霧装置の塗料吹出部の上下移動範囲は必ずしも管状体の上端から下端までを移動範囲とする必要はなく、地色塗装部に対する上塗り部と該上塗り部に連続するグラデーション部の形成領域に塗料吹出部を上下移動させれば良い。従って、前記塗布吹出部の上下移動範囲とは管状体の上下端にわたる全長とする必要はないが、上下移動範囲を管状体の上下両端間の全長とすると、移動範囲を制御する必要はない。
なお、当該塗料噴射装置はグラデーション専用の塗料噴射装置とすることもできるが、本発明においては、グラデーションの有無を前記隔壁を取り付け、取り外することによって、簡単に変更することができるので、通常の管状体のグラデーションを伴わない塗装（例えば、管状体全体の均一塗装）を行う塗料噴射装置として共用する装置とすることが好ましい。
【０００９】
本発明においては、塗料吹出部の上下移動範囲と、管状体の間の領域の一部の領域に、該管状体と塗料吹出部とを隔てる隔壁を設けているため、塗料吹出部が上下移動しながら塗料を管状体に噴霧させる際、隔壁の存在によって、塗料の噴霧パターンの遮断度合いが逐次変化し、その背後の管状体には、噴霧塗料の量が連続的に変化した状態で塗着されることになり、これによって装飾性に優れたグラデーション塗装が可能となる。従って、塗料噴霧装置の塗料吹出部を上下移動させる際に、その移動範囲を変化させて行う前記従来の塗装方法のように、最下部と管状体の中間部間のみで上下移動させても、管状体の上部にも塗装されてしまうようなことはなく、グラデーションの変化範囲が狭く、装飾性の良いグラデーションを得ることができる。
【００１０】
前記隔壁の取り付け高さを調整することによりグラデーションの形成位置を調整することができると共に、隔壁を上下間隔をあけて複数枚設けると、グラデーションを管状体の長さ方向において複数箇所で設けることもできる。さらに、グラデーション変化範囲の大小の調節が必要な場合には、隔壁の上下長さを変えたり、上端部及び／又は下端部をジグザグ形状や段付き形状にすることにより、容易にグラデーション変化範囲を調整することができる。さらにまた、隔壁を取り外すことによりグラデーションを無くすこともでき、多様な塗装を施すことができる。
【００１１】
前記隔壁は、厚手の紙や樹脂シート等から形成し、塗装室の天井付近に設けられた梁状の部材にテープで貼り付けて固定できるようにすると、簡単かつ安価に隔壁を設けることができ、隔壁の変更も容易にでき、さらに、取り付けも容易である点より好ましい。
【００１２】
前記吊り下げられた管状体の表面と前記塗料吹出部との水平距離Ｌ１は１５〜１００ｃｍとすることが好ましい。これは１５ｃｍ未満の場合、塗装ムラが発生し易くなる一方、１００ｃｍより大きいと塗料が所定範囲外に噴霧される量が多くなって、塗装効率が悪くなることに因る。
下限は、好ましくは２０ｃｍ以上、更に好ましくは３０ｃｍ以上である。上限は、好ましくは７０ｃｍ以下、更に好ましくは４０ｃｍ以下である。
【００１３】
管状体の表面と前記隔壁との水平距離Ｌ２は５〜３０ｃｍとすることが好ましい。Ｌ２を調整することにより、目的とするグラデーションの変化割合を適宜設定できるが、５ｃｍ未満の場合、隔壁と管状体との接触が起こり易くなる傾向となり、好ましくは８ｃｍ以上である。上限については、グラデーションの変化割合や上記Ｌ１との関係で設定すればよいが、一般的には３０ｃｍ以下、好ましくは２０ｃｍ以下、更に好ましくは１５ｃｍ以下である。
【００１４】
隔壁と上記塗料吹出部との水平距離Ｌ３は１０〜７０ｃｍとすることが好ましい。これは、１０ｃｍ未満の場合、隔壁に当って跳ね返された塗料が、塗料吹出部に付着し、これにより塗装不良が発生し易くなる一方、７０ｃｍより大きくなると、Ｌ１が結果的に大きくなって、塗料が所定範囲外に噴霧される量が多くなって、塗装効率が悪くなることに因る。下限は、好ましくは１５ｃｍ以上、更に好ましくは２０ｃｍ以上である。上限は、５０ｃｍ以下、更に好ましくは３０ｃｍ以下である。
【００１５】
隔壁の幅（管状体の移動方向の沿った幅）Ｌ４は、１〜５ｍとすることが好ましい。これは、１ｍ未満の場合、隔壁の側端部から塗料が管状体に塗装されてしまい易くなる一方、５ｍを超えると工程エリア等の制限があることに因る。下限は、好ましくは２ｍ以上である。また、上限は発明効果の面からは制限する必要がないが、工程エリア等を勘案し、好ましくは４ｍ以下である。
【００１６】
前記塗料噴霧装置としては静電塗装機であることが望ましい。
静電塗装機は、ベルタイプ、ガンタイプ、ディスクタイプ等が使用し得る。
ガンタイプの塗装機を用いる場合、塗料吹出部の移動等の変化は、塗料吹出部の上下方向の移動（上下方向への向きの変化を含む）のみとし、配列させた管状体を、塗料吹出部の前を軸回転させながら、直線状に移動させて、連続して順次塗装する。
ディスクタイプの塗装機を用いる場合、特許文献１の図１に開示される塗装機において、ディスク吹出部を上下に移動させながら、ディスクの円周方向全域に塗料を噴霧し、配列した管状体を軸回転させながらディスク廻りの円周上を移動させ、連続して順次塗装する。
前記ガンタイプとディスクタイプの内、ガンタイプの塗装機は、隔壁が平らな板状で良いため、隔壁の準備が簡易、隔壁の取付作業が容易、隔壁の取付治具が簡易となる等の理由で、生産性、コスト性に優れることから望ましく採用される。
【００１７】
塗装装置において、その構成材に、複数の前記管状体を直接的または間接的に所要間隔をあけて配列した状態で吊り下げ、これら管状体を前記塗料噴霧装置の塗料吹出部の前方を連続移動させて、複数の管状体を連続的に塗装することが好ましい。
このように、多数の管状体を配列して、連続的に塗装することにより、塗装効率、ひいては製品としての管状体の生産性が向上する。
【００１８】
第２の発明として、前記塗装方法を用い、管状体としてのゴルフクラブシャフトの表面を塗装する塗装工程を含むことを特徴とするゴルフクラブの製造方法を提供している。
【発明の効果】
【００１９】
上述したように、第１の発明に係る管状体の塗装方法においては、鉛直状態に配置するゴルフクラブシャフトや釣竿等の管状体と、塗料噴霧装置の塗料吹出部の上下移動範囲との間の一部の領域に、該管状体と塗料吹出部とを隔てる隔壁を設け、塗料吹出部を上下させながら塗料を霧状に噴霧させて管状体の表面を塗装するようにしているため、隔壁の背後の管状体には、噴霧塗料がその長手方向に沿って連続的に変化した状態で塗着されることになり、これによってグラデーションの変化範囲が狭く、装飾性の良いグラデーションを得ることができる。
かつ、隔壁の取外し、隔壁取付け高さの調整や、隔壁の形状を変更することによって、グラデーションの有無、変化部の位置調整、グラデーション変化範囲の調整が可能で、生産性に優れる。
【００２０】
また、第２の発明のゴルフクラブの製造方法では、塗装工程において、鉛直状態に吊り下げられたゴルフクラブシャフトと、塗料噴霧装置の塗料吹出部の上下移動範囲との間の一部の領域に、該ゴルフクラブシャフトと塗料吹出部とを隔てる隔壁を設けて塗装するだけで、装飾性の良いグラデーション塗装がなされたゴルフクラブの製造が効率的になされる。
【発明を実施するための最良の形態】
【００２１】
以下、本発明の実施形態を図１乃至図６を参照して説明する。
図１は、静電塗装機により、吊下げられた管状体としてのゴルフクラブシャフト（以下、シャフトと略す）の表面を順次塗装する塗装システムを示す斜視図である。この塗装システムは、静電塗装機（以下、塗装機と略す）２の塗料吹出部２ａより、電荷を帯びた塗料３を霧状で吐出・噴霧させると共に、この霧状の塗料３が噴霧された噴霧空間Ｓにシャフト１を順次通過させて、シャフト１の表面を塗装している。
【００２２】
前記シャフト１は、レールＲに沿って移動する移動具５に吊下治具４を用いて鉛直方向に吊り下げ、レールＲに沿って移動させている。塗装機２の塗料吹出部２ａと、シャフト１の通過ラインとの間には、噴霧空間Ｓの一部を遮るように樹脂シートからなる隔壁８を塗装室の天井付近に設けられた梁状の部材（図示せず）に固定された吊下材９に貼着している。
前記吊下治具４に吊下げ保持された状態でシャフト１は軸回転させると共に、塗装機２の塗料吹出部２ａを上下動させ、シャフト１の表面を長さ方向及び周方向に亘って塗装している。
【００２３】
図２に示すように、シャフト１の表面と塗料吹出部２ａとの水平距離Ｌ１は１５〜１００ｃｍの範囲とし、本実施形態では３０ｃｍ〜４０ｃｍの範囲としている。
また、シャフト１の表面と隔壁８との水平距離Ｌ２は５〜３０ｃｍとし、本実施形態では８ｃｍ〜１５ｃｍの範囲としている。
更に、隔壁８と上記塗吹出部２ａとの水平距離Ｌ３は１０〜７０ｃｍの範囲とし、本実施形態では２０ｃｍ〜３０ｃｍの範囲としている。
また、隔壁８の幅Ｌ４（図１参照）は１〜５ｍの範囲とし、本実施形態では２〜４ｍの範囲としている。
【００２４】
まず、前記隔壁８を用いることにより、シャフト１にグラデーション塗装がなされる方法について説明する。
図２はシャフト１の上方部に対応する位置に隔壁８を配した例を示している。
シャフト１が軸回転しながら塗装区間を通過する間、塗装機２は上下動し、その塗料吹出部２ａから塗料の噴射がなされる。塗料の噴霧パターンは、塗装機２の上下動に伴い隔壁８による遮断度合いが変化し、その為、隔壁８の背後のシャフト１における隔壁８の下端部８ｂの水平方向に対応する位置Ｍの周辺において、塗着塗料の量が変化する。
即ち、隔壁８が存在していないシャフト１の下側部ではシャフト１の表面に塗着した塗料３０の膜厚は一定厚さｍとなり、隔壁８の下端部８ｂの水平方向に対応する位置Ｍの周辺より上方、即ち、隔壁８の背後の位置において、塗着塗料３０の膜厚が漸次小さくなる。従って、この部分でグラデーション変化部３０ａが形成され、しかもこの変化範囲は隔壁８の存在により狭くなる。
【００２５】
図３はシャフト１の中央部に対応する位置に隔壁８を配した例を示している。この例においても、塗装機２の上下動に伴った塗装によって、隔壁８の背後のシャフト１における隔壁８の上端部８ａ及び下端部８ｂの水平方向に対応する位置Ｍ、Ｍの周辺において、塗着塗料の量が変化する。シャフト１の表面に塗着した塗料３０の膜厚は、隔壁８の上端部８ａ及び下端部８ｂの水平方向に対応する位置Ｍ、Ｍ間の中央部に向かい、塗着した塗料３０の膜厚が漸次小さくなる凹状のグラデーション変化部３０ｃが形成される。
【００２６】
図４はシャフト１の下方部に対応する位置に隔壁８を配した例を示している。この例においても、塗装機２の上下動に伴った塗装によって、隔壁８の背後のシャフト１における隔壁８の上端部８ａの水平方向に対応する位置Ｍの周辺において、塗着塗料の量が変化する。シャフト１の表面に塗着した塗料３０の膜厚は、隔壁８の上端部８ａの水平方向に対応する位置Ｍの周辺部より下方に向かい、塗着塗料３０の膜厚が漸次小さくなるグラデーション変化部３０ｄ及び塗着塗料３の無い部位３０ｅが形成される。
【００２７】
図２、図４の例では塗着塗料３０の無い部位３０ｂ、３０ｅが存在するが、この部位３０ｂ、３０ｅの有無も含めたグラデーション変化部３０ａ、３０ｃ、３０ｄの形成態様（膜厚の変化度合い）の調整は、隔壁８の上下位置、シャフト１及び塗料吹出部２ａとの相対位置（後記するＬ１〜Ｌ３）、塗装機２の上下動速度、塗料吹出部２ａからの塗料の吐出量、シャフト１の軸回転速度、更にはコンベア６の速度等を適宜調整することによって、求められるモチーフに基づきなされる。
なお、塗着塗料３０が無い部分およびグラデーション変化部３０ａ〜３０ｅには、図示していないが、予め地色塗装が施されている。
【００２８】
図５（Ａ）（Ｂ）は、隔壁８の変形態様を示し、（Ａ）の隔壁８は下端部８ｂがジグザグ形状とされ、（Ｂ）の隔壁８は下端部８ｂが段付形状とされている。これらの形状は、上端部８ａに形成されていても良く、また下端部８ｂ及び上端部８ａの双方に形成されていても良い。このような形状にすることにより、グラデーションの形成態様（変化範囲や変化形状）を所望のモチーフに基づき容易に調整することができる。
【００２９】
つぎに、前記グラデーション塗装を行う図１に示す本実施形態の塗装装置について説明する。
シャフト１を鉛直状態で吊下げ保持する吊下治具４が、静電塗装機２の近傍に配設された直状のレールＲに沿って移動する複数の移動具５に夫々掛止され、各吊下治具４には後記する要領でシャフト１が吊下げ保持されている。
複数の移動具５のレールＲに沿った移動の間、吊下治具４に吊下げ保持されたシャフト１は噴霧空間Ｓを通過し、この通過の間にシャフト１の表面が塗装される。
レールＲ内には、レールＲに沿って移動するワイヤー或いはチェーン等の索条体からなるコンベア６が配設されている。
移動具５は、このコンベア６の長手方向に沿って略等間隔で取付られた取付金具５ａと、この取付金具５ａの下端に軸回転可能に軸支された自転用歯車５ｂとよりなる。この自転用歯車５ｂの下方に、フック４ａ（図６参照）をして吊下治具４が掛止されている。この掛止に際しては、図示していないが、自転用歯車５ｂの下に棒状ハンガー（長尺フック等）を介在させて行うことも可能である。
【００３０】
レールＲの一側面には、その長手方向に沿った塗装区間において平歯車７が固設され、前記自転用歯車５ｂが噛合っている。従って、移動具５がコンベア６によってレールＲに沿って移動する際、平歯車７と自転用歯車５ｂとのラックアンドピニオンの関係で、自転用歯車５ｂがその軸周りに自転する。これに伴い、吊下治具４に吊下げ保持されたシャフト１も、軸回転しながら静電塗装機２の近傍を移動する。
【００３１】
前記取付金具５ａのコンベア６に対する取付ピッチは、特に限定されないが、隣り合うシャフト１、１の間隔Ａを５〜３００mm、より好ましくは５〜２００mm、更には５０〜２００mmとなるよう設定している。
この間隔Ａが５mm未満であると、互いに干渉することがあり、また、十分な塗装領域を形成し得ず、塗装性が低下して塗膜厚さにバラツキが生じる傾向があり、逆に３００mmを超えると、塗装機２を連続噴霧するときなど塗料の無駄吹きなどが生じやすく生産性が低下し易い。
各シャフト１は鉛直状態を維持されて吊下げ保持されているため、その間隔を狭めても隣り合うシャフト１同士が干渉することがない。
前記コンベア６の作動は連続的になされ、吊下治具４を介しコンベア６に等間隔で吊下げ保持されたシャフト１を、順次塗装している。
【００３２】
前記シャフト１が噴霧空間Ｓを通過する速度は、特に限定されないが、好ましくは１．２〜２．５ｍ／分、より好ましくは１．５〜２．１ｍ／分とするのが望ましい。前記通過速度が１．２ｍ／分未満であると、塗料の噴霧量にも依るが塗膜厚さが大となる傾向がある他、生産効率が低下する傾向があり、逆に２．５ｍ／分を超えると、シャフト１への塗料の付着量が減少しかつ塗膜厚さもばら付き易くなる。
【００３３】
このようにして、シャフト１は、噴霧空間Ｓを自転（軸回転）しながら水平に通過することにより、外周面を均一に塗装される。また噴霧空間Ｓを通過したシャフト１は、例えば隣接する乾燥ユニットなどで塗膜を硬化させる乾燥工程が行われる。乾燥ユニットでは、例えば８０〜２００℃程度の温度で１〜１５分程度、シャフトを乾燥させるのが望ましい。
【００３４】
塗装機２は、前記のように静電塗装としており、アースした被塗装物を陽極、静電塗装機を陰極とし、これに負の高電圧を与えて両極間に静電界を形成し、噴霧した塗料を負に帯電させることにより対極である被塗装物に効率良く塗料を付着させるものである。
このような静電塗装は、塗料の粒子が静電引力によって被塗装物に吸着するため、従来のハンドガンによる一般的なスプレー塗装などに比べて塗料の無駄吹きや吹き戻りを大幅に低減でき、かつ塗料が被塗装物の背面側にまで回り込む「つきまわり効果」を高めることができる。この結果、塗装スピードを向上しつつ塗膜厚さのバラツキを減じて均一に塗装でき、かつ塗着効率を高め塗料の無駄を低減しうる。
【００３５】
静電塗装機２は、周知の如く、ベルタイプ、ガンタイプ、及びディスクタイプの三タイプに大別されるが、マイナス３０ｋＶ〜１００ｋＶ、好ましくはマイナス５０ｋＶ〜９０ｋＶの電荷を帯びた塗料を霧状で噴霧しうるものではれば、特に限定されることなく何れのタイプのものも採用できる。
本実施形態の静電塗装機２は、ガンタイプの塗装機であって、上下動する塗料吹出部２ａより横向きに縦方向に広がる扇形の噴霧パターンの噴霧空間Ｓを形成するよう塗料３が霧状で噴霧される。
【００３６】
ここで、塗料３の電荷がマイナス３０ｋＶに満たないと、塗料の付着効率が低下するため塗膜厚さの均一性が損なわれる傾向がある他、金属粉を含有する塗料を用いたときには、該金属粉が「寝る」傾向が強く、金属光沢が損なわれやすい。逆に、前記塗料の電荷がマイナス１００ｋＶを上回っても静電塗装機への負荷が大きくなるだけで塗料の付着性は頭打ちとなる。
【００３７】
塗料３は、必ずしも有色である必要はなく、無色透明（いわゆるクリアー塗料）であっても良いし、また有機溶剤系或いは水性溶剤系のいずれをも採用することもできる。なお、人体や地球環境への影響を考慮すると、塗料は水性溶剤系のものが好ましい。また塗料の粘度については、特に限定されないが、好ましくは一定温度（２０℃）にてイワタカップでの塗料流出時間が４．０〜１５．０秒、より好ましくは５．０〜１３．０秒であることが望ましい。４．０秒未満であると霧化中の塗料濃度が低くなり、塗着量が減って塗膜が薄くなり過ぎ、逆に、１５．０秒を超えると粘度が高すぎて良好な塗料の霧化が難しくなる。
【００３８】
また、塗料３は、好ましくは金属粉を含むことが望ましい。これにより、より光沢に優れたシャフト１を製造しうる。金属粉としては、金属のみならず、金属酸化物、金属窒化物又は金属炭化物の１以上の粉状体からなるものを包含する。また金属粉は、特に限定されないが、比重を４以上としたときには、金属粉によってシャフト１の外表面により多くの重量を配分することができ、慣性モーメントを増大する効果を得ることもできる。具体的には金属粉としては、例えばアルミニウム、チタン（比重：４．５）、ニッケル（比重：８．９）、銅（比重：８．９）、モリブデン（比重：１０．２）、鉛（比重：１１．３）、タングステン（比重：１９．３）の粉末又はこれらを含む合金の粉末が挙げられる。
【００３９】
金属酸化物としては、酸化チタン（比重：４．９）、酸化ジルコニウム（比重：５．５）、酸化鉄（比重：５．７）、酸化銅（比重：６．０）、酸化鉛（比重：９．３〜９．６）、酸化タングステン（比重：１２．１）などが挙げられる。また、金属窒化物としては窒化チタン（比重：５．４）、窒化銅（比重：５．８）、窒化クロム（比重：５．９）、窒化亜鉛（比重：６．２）、窒化鉄（比重：６．４）、窒化ジルコニウム（比重：７．１）、窒化タンタル（比重：１４．４）、などが挙げられる。そして金属粉には、これらを単独で又は２種以上を混合して用いることができる。
【００４０】
前記金属粉は、その平均粒子径が大きくなると、塗料基剤中での分散が悪いため塗膜の強度を低下させる傾向がある。従って、金属粉の平均粒子径は、小さいほど好ましいが、コストや生産性などを考慮すると、好ましくは０．０５〜５０μｍ、より好ましくは０．１〜３０μｍ、さらに好ましくは０．１〜１５μｍとするのが望ましい。なお金属粉の平均粒子径は、塗膜の一定の領域内に含まれる金属粉の粒径を測定し、その平均により表される。
【００４１】
金属粉の配合量は特に限定されないが、好ましくは塗装後のシャフト１の全質量に対して１．５〜７．５％、より好ましくは２．０〜３．５％程度となるように塗料中に混合するのが望ましい。これにより、金属粉は、シャフト１に優れた光沢を与えるとともに、シャフト１の表面に重量を比較的多く配分することができ、大きな慣性モ−メントを有するシャフト１を製造しうる。
【００４２】
グラデーション塗装されるゴルフクラブシャフト１としては、スチールシャフトの他、例えば炭素繊維強化プラスチックなど熱硬化性樹脂に補強繊維を含有した強化プラスチックシャフトなど種々のものが採用できる。なお熱硬化性樹脂として、エポキシ樹脂、不飽和ポリエステル樹脂、フェノール樹脂、ビニルエステル樹脂等を挙げることができ、これらの１種若しくは２種以上を用いることが可能である。又補強繊維として、例えばカーボン繊維やガラス繊維等の他、ボロン、チタン、タングステン、ステンレス、銅、アルミナ等からなる金属系繊維、アラミド繊維などを挙げることができ、これらの１種若しくは２種以上を用いることが可能である。
【００４３】
図６は本発明の管状体の塗装方法に採用される管状体用の吊下治具４の一例を示している。
吊下治具４は、フック４ａと、このフック４ａを上面に備えた傘部４ｂと、該傘部４ｂの下面に垂設される円柱部４ｃと、傘部４ｂと円柱部４ｃの上面との間に上端部を固定して円柱部４ｃの外周面に沿って下方へと延在させたクリップ部４ｄとからなる。これら傘部４ｂ、円柱部４ｃ、クリップ部４ｄは別部材とし、夫々着脱自在に組みつけて一体化している。
吊下治具４では、円柱部４ｃに対して管状体（ゴルフクラブシャフト）１を下方から外嵌すると共に、該管状体１の周壁１ａの一部を円柱部４ｃとクリップ部４ｄとの間に押し込むことで管状体１を吊り下げる一方、該管状体１を下方へ引っ張ることで取り外し可能な構成としている。
【００４４】
クリップ部４ｄはばね性線材から形成しており、その上端部には前記傘部４ｂと円柱部４ｃとの間に介在固定する水平方向の円環状基部４ｄａを設けていると共に、該円環状基部４ｄａから径方向への突出部４ｄｂを設けている。該突出部４ｄｂの外端より下向きに「く」の字状に屈曲した把持部４ｄｃを設けている。該把持部４ｄｃは円柱部３側へと傾斜する上部傾斜辺部４ｄｃ−１と、該上部傾斜辺部４ｄｃ−１の下端の屈曲頂部４ｄｃ−２と、該屈曲頂部４ｄｃ−２より外下方へと傾斜する下部傾斜辺部４ｄｃ−３とからなり、円柱部４ｃから離れる方向の下部傾斜辺部４ｄｃ−３の先端４ｄｃ−４がクリップ部４ｄの最下端となると共に、把持部４ｄｃの外端ともなる。
把持部４ｄｃは、図６の２点鎖線に示すように、円柱部４ｃの外周面に頂部４ｄｃ−２が当接するように形成している。
なお、把持部４ｄｃは装着される管状体１の周壁１ａの厚みより小さな距離で円柱部４ｃの周面より離れていても良い。
【００４５】
前記傘部４ｂは下面を円形とした台円錐形状の支持板４ｂａの下面に雄ネジ部４ｂｂを形成し、前記円柱部４ｃの中空内壁部に形成した雌ねじ部４ｃａを螺合してねじ締め結合し、この螺合を解くことで円柱部４ｃを傘部４ｂから取外し可能としている。
前記クリップ部４ｄの円環状基部４ｄａは、傘部４ｂの雄ねじ部４ｂａに嵌挿し得る径の円環状とし、傘部４ｂと円柱部４ｃとをねじ結合させる際、この円環状基部４ｄａを雌ねじ部４ｃａに嵌挿し、傘部４ｂと円柱部４ｃとの締結結合部間に介在させて固定している。従って、円柱部４ｃを取外すことによりクリップ部４ｄも取り外し可能としている。
【００４６】
また、傘部４ｂの支持板４ｂａの中央上端には、フック４ａを突設し、フック４ａを前記塗装ラインの移動具５に引っ掛けるようにしている。また、円柱部４ｃの下端は管状体１を外嵌しやすくする為にテーパ部４ｃｂとしているが、フラットとしてもよい。
【００４７】
前記構成からなる吊下治具４により管状体１を吊下げ保持するには、円柱部４ｃとクリップ部４ｄの把持部４ｄｃの間に管状体１の周壁１ａの一部を押し込むように下方より管状体１を円柱部４ｃに外嵌していく。
即ち、円柱部４ｃを管状体１の中空部１ｂに挿入し、クリップ部４ｄへ管状体１の周壁１ａを押し込むと、把持部４ｄｃは押し込みによる弾性変形に伴う復元弾力で周壁１ａを円柱部４ｃと頂部４ｄｃ−２との間に弾圧挟持する。
この時、把持部４ｄｃの下部傾斜辺部４ｄｃ−３の先端４ｄｃ−４は、円柱部４ｃの周面より離れる方向に向いているため、この先端４ｄｃー４から頂部４ｄｃ−２にかけての線材部分が、管状体１を円柱部４ｃに嵌挿させる際のガイドとなり、管状体１の嵌挿押込み力によって把持部４ｄｃを弾性変形させる。管状体１の上端を傘部４ｂの下面付近まで押込み手離すと、把持部４ｄｃの復元弾力によって、周壁１ａが円柱部４ｃと把持部４ｄｃの頂部４ｄｃ−２との間に弾圧挟持されて管状体１が吊下げ保持される。
この吊下げ保持は、この把持部４ｃの屈曲頂部４ｃ−２による点接触もしくは線接触的な弾圧挟持作用によってなされ、管状体１はその自重によって必然的に鉛直状態となるようにしている。
【００４８】
前記構成からなる吊下治具４を用いると、ゴルフクラブシャフトや釣竿等の管状体１の周壁１ａを、円柱部４ｃとクリップ部４ｄの把持部４ｄｃとの間に押し込むことで、把持部４ｄｃの弾性力で円柱部４ｃの間で確実に管状体１を狭持でき、管状体１を円柱部４ｃの外周に沿わせて鉛直状態に吊下げ保持することができる。このように、管状体１を下方より差し込み操作するだけでワンタッチで装着吊持させることができる。また、管状体１を円柱部４ｃに外嵌すると共に円柱部４ｃとクリップ部４ｄの把持部４ｄｃとの間で挟持して吊下げ保持しているため、管状体１はその自重により必然的に鉛直状態とすることができる。よって、前記のような塗装ラインにおいて順次塗装してゆく場合でも、隣り合う管状体１同士が干渉することを防止し、吊下げ間隔を狭くして塗装効率を高めることができ、簡易な装着性とも相俟って管状体１の生産性の向上を図ることができる。
【００４９】
更に、吊り下げられた管状体１の上部が傘部４ｂにより覆われることになるから、吊下治具４の上方に付着した塗料が垂れて管状体１に付くことを防止し、塗装不良の発生を抑えることができる。また、吊下治具４の上方に付着した塗料が垂れてクリップ部４ｄに付くことも防止されるので、連続使用によってもクリップ部４ｄの挟持機能が低下することがない。
塗装の際にはクリップ部４ｄも直接塗装されるが、これは均一な塗装であり、上から垂れてきた塗料の塊ではなく、挟持機能には殆ど悪影響を与えるものではない。
【００５０】
前記クリップ部４ｄの把持部４ｄｃは円柱部４ｃに向けて「く」の字状に屈曲させ、屈曲頂部４ｄｃ−２を円柱部４ｃの外周面に当接あるいは近接させていることが好ましい。
このように、把持部４ｄｃを「く」の字状に屈曲させた単純な形状とすると、円柱部４ｃとの間で強い狭持力を発生させて、管状体１の周壁１ａを確実に狭持することができる。
また、把持部４ｄｃの下部傾斜辺部４ｄｃ−３は、円柱部４ｃに当接あるいは近接させる屈曲頂部４ｄｃ−２より下方に向き、その先端４ｄｃ−４は吊り下げられた管状体１の周面より離れる方向となる。従って、クリップ部４ｂに付着した塗料がその先端４ｄｃ−４より塊となって垂れても、管状体１に付くこともなく、また、管状体１を円柱部４ｃに嵌挿装着させる際に、この先端４ｄｃ−４に触れることがなく、先端に付着している塗料の塊が管状体１の表面に転写されることもない。
【００５１】
尚、上記実施形態の塗装システムにおけるレールＲの形状、移動具５における取付金具５ａ、自転用歯車５ｂ、コンベア７等の形状等は、公知のこの種塗装システムに採用されるものをそのまま充当し得ることは当然である。また、管状体塗装用吊下治具４は、図例のものがその取扱い性等において優れているので望ましく採用されるが、これに限定されず、その他の構成のものも採用することが可能である。
【図面の簡単な説明】
【００５２】
【図１】本発明の管状体の塗装方法を実施する塗装装置の一例を示す概略斜視図である。
【図２】シャフトにグラデーション塗装を施す一態様を示す図面である。
【図３】シャフトにグラデーション塗装を施す別態様を示す図面である。
【図４】シャフトにグラデーション塗装を施すに別態様を示す図面である。
【図５】（Ａ）（Ｂ）は隔壁の変形態様を示す正面図である。
【図６】本発明の管状体の塗装方法に採用される管状体塗装用吊下治具の一例を示す部分切欠正面図である。
【図７】従来例を示す図面である。
【符号の説明】
【００５３】
１      ゴルフクラブシャフト（管状体）
２      静電塗装機（塗料噴射装置）
２ａ    塗料吹出部
３      塗料
３０    塗着塗料
３０ａ，３０ｃ，３０ｄ  グラデーション変化部
８      隔壁
Ｌ１    管状体の表面と塗料吹出部との水平距離
Ｌ２    管状体の表面と隔壁との水平距離
Ｌ３    隔壁と塗料吹出部との水平距離
Ｍ      隔壁の上端部及び／又は下端部の水平方向に対応する管状体の位置
【図１】
2007222550.tif 000003
【図２】
2007222550.tif 000004
【図３】
2007222550.tif 000005
【図４】
2007222550.tif 000006
【図５】
2007222550.tif 000007
【図６】
2007222550.tif 000008
【図７】
2007222550.tif 000009